(57)【特許請求の範囲】
【請求項１】
ハーネスを挿通させる閉断面形状部を備えると共に、被取り付け部の取り付け孔に係止するクリップを少なくとも２つ以上備え、
前記閉断面形状部は、樹脂材からなる底板部および一対の側壁部を備えた基体部と蓋体とに囲まれて形成され、
２つのクリップの間における前記閉断面形状部において、当該２つのクリップの互いの相対位置を調整可能とするように、可撓部からなる位置調整手段を設け、
前記可撓部は、プロテクタの長手方向と交差角度を有する方向に沿い、前記一対の側壁部の各一部にかかるように前記底板部に切り欠かれた少なくとも１条以上のスリットを有し、
前記蓋体は、薄肉のヒンジ部を介して一方の側壁部の上縁に一体に連結され、かつ、他方の側壁部に形成された係合孔部に係合する爪部を有し、
さらに、この蓋体における前記可撓部に対応する位置の両側には、蓋体の幅を局所的に狭くするように切欠きが形成され、
前記係合孔部は、前記他方の側壁部の外面と、この他方の側壁部の外面に形成された断面コ字形状部とによって囲まれた閉断面状の矩形孔からなり、
前記２つのクリップの内の１つは、前記断面コ字形状部において突設されていることを特徴とするハーネス用プロテクタ。
【請求項２】
前記底板部は、その延在方向に対し、底板部と直交する方向から見て湾曲した湾曲部を有し、
この底板部の湾曲部に前記スリットが形成されていることを特徴とする請求項１に記載のハーネス用プロテクタ。
【請求項３】
前記２つのクリップを、その取り付け方向が互いに直交するように形成したことを特徴とする請求項１または請求項２に記載のハーネス用プロテクタ。
【請求項４】
少なくとも２つの被取り付け部を互いに別体に設け、当該２つの被取り付け部に、請求項１ないし請求項３のいずれかに記載のハーネス用プロテクタを取り付ける構造を特徴とするハーネス用プロテクタの取り付け構造。
【発明の詳細な説明】
【０００１】
【発明の属する技術分野】
本発明は、ハーネス用プロテクタに関するものである。
【０００２】
【従来の技術】
車両のインスツルメントパネル（以降、インパネという）の裏側等において配線されるハーネスには、保護の観点からプロテクタが装着されることが多い。ハーネスをある取り付け面に沿って配線する場合には、例えば、断面が略コの字型を呈したプロテクタにてハーネスを掩蔽する。つまりこの場合、ハーネスはコの字型を呈したプロテクタの３面と取り付け面とによって掩蔽される態様となる。
【０００３】
また、インパネの裏側などでは、取り付け面に沿ってではなく、その開放された空間中にハーネスを張り巡らす場合が多く、この場合には一般的に、ハーネスをその周囲３６０度にわたって掩蔽するように構成された閉断面形状を呈するプロテクタが用いられる。この種のプロテクタは通常、少なくとも２つの取り付け部が形成されており、所定の被取り付け部にこの取り付け部を取り付けることでプロテクタが固定される構造となっている。
【０００４】
【発明が解決しようとする課題】
しかし、組み付け誤差や製造誤差等に起因して、一対の被取り付け部同士の相対位置は必ずしも正確な位置に配設されない場合が多く、この場合、プロテクタの一方の取り付け部を被取り付け部に取り付けた際、他方の取り付け部と残りの被取り付け部との位置がずれてしまい、スムースな取り付けができないという問題がある。プロテクタは通常、樹脂材等、ある程度可撓性を有する材質から成形されているものの、無理に撓ませて取り付けた場合には取り付け部位に大きな負荷がかかるおそれがある。特に、閉断面形状のプロテクタは剛性が大きいことから撓みの許容範囲が小さく、作業者にとって取り付け作業が困難となる。
【０００５】
本発明は以上のような問題を解決するために創作されたものであり、被取り付け部の位置が互いにずれている場合であっても、被取り付け部への取り付け作業がスムースに行えるハーネス用プロテクタ及びその取り付け構造を提供することを目的としている。
【０００６】
【課題を解決するための手段】
本発明は前記課題を解決するため、ハーネスを挿通させる閉断面形状部を備えると共に、被取り付け部の取り付け孔に係止するクリップを少なくとも２つ以上備え、前記閉断面形状部は、樹脂材からなる底板部および一対の側壁部を備えた基体部と蓋体とに囲まれて形成され、２つのクリップの間における前記閉断面形状部において、当該２つのクリップの互いの相対位置を調整可能とするように、可撓部からなる位置調整手段を設け、前記可撓部は、プロテクタの長手方向と交差角度を有する方向に沿い、前記一対の側壁部の各一部にかかるように前記底板部に切り欠かれた少なくとも１条以上のスリットを有し、前記蓋体は、薄肉のヒンジ部を介して一方の側壁部の上縁に一体に連結され、かつ、他方の側壁部に形成された係合孔部に係合する爪部を有し、さらに、この蓋体における前記可撓部に対応する位置の両側には、蓋体の幅を局所的に狭くするように切欠きが形成され、前記係合孔部は、前記他方の側壁部の外面と、この他方の側壁部の外面に形成された断面コ字形状部とによって囲まれた閉断面状の矩形孔からなり、前記２つのクリップの内の１つは、前記断面コ字形状部において突設されていることを特徴とするハーネス用プロテクタとした。
【０００７】
当該構成によれば、２つの取り付け部の位置を調整できるため、被取り付け部の位置がずれている場合であっても容易にハーネス用プロテクタを取り付けることが可能となる。また、取り付け部位に大きな負荷がかからなくなる。
【０００８】
また、前記位置調整手段を、少なくとも１条以上のスリットから構成したので、簡易な構造となり、経済的なハーネス用プロテクタとなる。
また、本発明においては、前記底板部は、その延在方向に対し、底板部と直交する方向から見て湾曲した湾曲部を有し、この底板部の湾曲部に前記スリットが形成されていることを特徴とするハーネス用プロテクタとした。
【０００９】
また、前記２つのクリップを、その取り付け方向が互いに直交するように形成すれば、例えば、先ず一方のクリップを被取り付け部に取り付け、この一方のクリップを中心に回動させながら他方のクリップをその回動途上において残りの被取り付け部に容易に取り付けることが可能となり、簡易な取り付け作業性が実現される。
【００１０】
また、少なくとも２つの被取り付け部を互いに別体に設け、当該２つの被取り付け部に、前記したハーネス用プロテクタを取り付ける構造とすれば、例えばインパネの内部など狭隘な空間での被取り付け部に関するレイアウト設計の自由度が広がり、たとえこれら被取り付け部の互いの位置がずれてレイアウトされた場合であっても、可撓部からなる位置調整手段によりハーネス用プロテクタを容易に取り付けることができる。したがって、被取り付け部に関するレイアウト設計の自由度及びハーネス用プロテクタの取り付け作業性の両立が可能となる。
【００１１】
【発明の実施の形態】
発明の実施の形態について図面を参照しながら説明する。図１及び図２はハーネス用プロテクタの外観斜視図であり、図１は第１蓋部及び第２蓋部を開けた状態、図２は閉じた状態を示す。図３は、ハーネス用プロテクタの側面作用説明図、図４は図２におけるＡ−Ａ断面図である。
【００１２】
本発明にかかるハーネス用プロテクタ（以降、単にプロテクタという）１は、主に、開放された空間部に配線されるハーネスＨ（図３，図４参照）を保護するためのプロテクタであり、そのためハーネスＨの周囲３６０度にわたって掩蔽するべく、後記するように閉断面形状部を備えた構成からなる。
【００１３】
プロテクタ１は、可撓性のある合成樹脂材、例えばポリプロピレン等で成形された筐体部材であり、基体部２と、第１蓋体３及び第２蓋体４とを備えた構成からなる。基体部２は、ハーネスＨ（図３）の挿通方向に沿って延在する底板部５と、この底板部５の両縁から鉛直状に、底板部５の延在方向に沿って立ち上がり形成される一対の側壁部６，７とを備える。本実施形態においては、底板部５は、図３からも判るように底板部５と直交する方向から見て略Ｓ字状に湾曲した形状となっており、図１から判るように、前記側壁部６，７はこの湾曲した底板部５の縁部から立ち上がり形成されている。
【００１４】
以上により、基体部２は、その延在方向の一端側及び他端側においてハーネスＨを挿通させるための挿通口８ａ，８ｂを形成し、また、延在方向と直交する断面形状が図４に示すように、上部が開口した略コの字状を呈する構成となる。なお、本実施形態では図1等から判るように、側壁部７の高さ寸法が挿通口８ａ側と挿通口８ｂ側とで異なっていたり、側壁部７の一部において切欠き部９（例えばプロテクタ１の内部で分岐させたハーネスの一部を通すために形成される）が形成されているが、これらの構成の有無は適宜に選択され得る。
【００１５】
第１蓋部３は、挿通口８ａ側における側壁部６の上縁において、薄肉状に形成されたヒンジ部１０を介して基体部２と一体に構成されている。また、第２蓋部４も、挿通口８ｂ側における側壁部６の上縁において、薄肉状に形成されたヒンジ部１１を介して基体部２と一体に構成されている。
【００１６】
第１蓋部３及び第２蓋部４にはそれぞれ複数の爪部１２が突設され、一方、基体部２の側壁部６，７には前記爪部１２に対応した位置に係合孔部１３が形成されており、第１蓋部３及び第２蓋部４を、図２に示すように基体部２の上方開口部を閉塞するように閉じた際には、各爪部１２が各対応した係合孔部１３に係止嵌合される構成となっている。この図２に示す状態から判るように、第１蓋部３と第２蓋部４が閉じた状態における両部位の間の隙間寸法は極く僅かである。以上により、プロテクタ１は、第１蓋部３及び第２蓋部４が閉じた状態において図４から判るようにハーネスＨを挿通させる略矩形状の閉断面形状を呈することとなる。
【００１７】
次いで、図１において、挿通口８ａ側における側壁部７の外面側には、被取り付け部側への第１取り付け部１４が形成されている。本実施形態において、第１取り付け部１４は側壁部７に対して垂直に突設されたクリップ１５から構成される。クリップ１５としては、例えば弾性変形が可能な係止部１５ａを有する公知構造のクリップが適用される。
【００１８】
また、挿通口８ｂ側における底板部５の外面側には、被取り付け部側への第２取り付け部１６が形成されている。この第２取り付け部１６も、例えば底板部５に対して垂直に突設されたクリップ１７から構成される。クリップ１７も例えば前記クリップ１５と同様の構造であり、弾性変形が可能な係止部１７ａを有する構造である。以上から判るように、クリップ１５とクリップ１７とは、その突設方向、つまり各被取り付け部側への取り付け方向が互いに直交した構成となっている。
【００１９】
プロテクタ１は、この第１取り付け部１４であるクリップ１５と第２取り付け部１６であるクリップ１７との間における閉断面形状部において、クリップ１５とクリップ１７との互いの相対位置を調整可能とするように、可撓部からなる位置調整手段１８が設けられている。本実施形態では、位置調整手段１８として、少なくとも１条以上のスリット１９から構成している。図１では４条のスリット１９を形成した場合を示している。
【００２０】
スリット１９は、プロテクタ１の長手方向と交差角度を有する方向に沿って切欠き形成されることが好ましく、プロテクタ１の長手方向と略直交した方向に沿って切欠き形成すれば、撓み性が増すのでさらに好ましい。本実施形態では、特に図４から判るように、左右の側壁部６，７にかかるようにして底板部５にスリット１９を形成してある。
【００２１】
図３に示す符号２０，２１は車両のインパネ内において互いに別体的な部材として設けられたブラケットを示し、プロテクタ１が取り付けられる被取り付け部を構成する。ブラケット２０，２１にはそれぞれ取り付け孔２０ａ，２１ａが、その孔方向が互いに直交するように形成されている。プロテクタ１をこれらのブラケット２０，２１に取り付ける手順の一例としては、先ず、クリップ１７をブラケット２０に形成された取り付け孔２０ａに係止させる。図３（ａ）はクリップ１７が取り付け孔２０ａに係止され、紙面手前側に突出した状態を示している。この図３（ａ）の状態では、プロテクタ１がクリップ１７を中心に回動可能な状態にある。
【００２２】
そして、プロテクタ１を上方側に回動させてクリップ１５をブラケット２１に形成された取り付け孔２１ａに係止させる際、たとえ取り付け孔２１ａの位置とクリップ１５の位置がずれている場合であっても、スリット１９の介在により、クリップ１５側の部位を容易に撓ませることが可能となり、クリップ１５の位置調整が容易に行えることとなる。したがって、作業者はプロテクタ１のクリップ１５側の部位を小さな力で容易に屈曲させることができ、クリップ１５をスムースに取り付け孔２１ａに係止させることができる（図３（ｂ）の状態）。そして、この図３（ｂ）の状態において、スリット１９の介在により各クリップ１５，１７の部位に大きな負荷がかからなくなる。
【００２３】
以上のように、スリット１９を形成すれば、プロテクタ１の取り付け作業性が向上することとなり、さらに、クリップ１５，１７に関し、その取り付け方向が互いに直交するように形成すれば、前記したように、例えば一方のクリップ１７を中心に回動させながら他方のクリップ１５をその回動途上において容易に取り付けることが可能となり、取り付け作業性がより向上することとなる。
【００２４】
また、ブラケット２０，２１を別体の部材として設けることで、例えばインパネの裏側などの狭隘な空間でのレイアウト設計の自由度が広がり、たとえブラケット２０，２１の互いの位置が所定位置よりずれてレイアウトされた場合であっても、前記したように、スリット１９などからなる位置調整手段１８を備えたプロテクタ１を用いれば容易な取り付け構造が実現されるものである。
【００２５】
以上、本発明の好適な実施形態を説明した。位置調整手段１８としては、スリット１９の他、例えば蛇腹形状部から構成することも可能であるが、スリット１９から構成することにより簡易な構造が実現され、経済的なプロテクタ１となる。また、スリット１９の条数やピッチ、形状等は図面に記載されたものに限られず、プロテクタ１の形状に合わせて適宜に選択され得る。その他、各構成要素のレイアウト、形状、個数等は、図面に記載したものに限定されず、本発明はその趣旨を逸脱しない範囲で適宜設計変更が可能である。
【００２６】
【発明の効果】
本発明によれば、被取り付け部へのハーネス用プロテクタの取り付け作業性が向上し、また、２つの被取り付け部の位置が互いにずれている場合であっても、このずれを容易に吸収でき、スムースにハーネス用プロテクタを取り付けることができる。
【図面の簡単な説明】
【図１】ハーネス用プロテクタの外観斜視図であり、第１蓋部及び第２蓋部を開けた状態を示す。
【図２】ハーネス用プロテクタの外観斜視図であり、第１蓋部及び第２蓋部を閉じた状態を示す。
【図３】ハーネス用プロテクタの側面作用説明図である。
【図４】図２におけるＡ−Ａ断面図である。
【符号の説明】
Ｈ      ハーネス
１      ハーネス用プロテクタ
２      基体部
３      第１蓋部
１４      第１取り付け部
１５      クリップ
１６      第２取り付け部
１７      クリップ
１８      位置調整手段
１９      スリット
２０ａ，２１ａ  取り付け孔（被取り付け部）
【図１】
0003942156.tif 000002
【図２】
0003942156.tif 000003
【図３】
0003942156.tif 000004
【図４】
0003942156.tif 000005